(57)【要約】【課題】簡素な構造により、引き抜き強度の向上と寸法安定性の確保の両立を達成した放熱器固定用板端子を提供することを課題とする。【解決手段】本考案の放熱器固定用板端子１は、半導体素子を冷却する放熱器１０に設けられた被挿入部１３に挿入される板状の挿入部１ａと、当該挿入部１ａに連なり、電子基板（図示せず）に取り付けられる脚部１ｂと、を有し、挿入部１ａは、挿入部１ａの一部を一面側へ突出させた山状凸部２と、当該山状凸部２に平坦部６ｂを介して隣接し、挿入部１ａの他の一部を他面側へ突出させた谷状凹部３と、を有することを特徴とする。【選択図】図１
0003145211.tif 000002
【実用新案登録請求の範囲】
【請求項１】
半導体素子を冷却する放熱器を電子基板に固定するための放熱器固定用板端子であって、
前記放熱器に設けられた被挿入部に挿入される板状の挿入部と、当該挿入部に連なり、前記電子基板に取り付けられる板状の脚部と、を有し、
前記挿入部は、前記挿入部の一部を一面側へ突出させた山状凸部と、当該山状凸部に平坦部を介して隣接し、前記挿入部の他の一部を他面側へ突出させた谷状凹部と、を有する
ことを特徴とする放熱器固定用板端子。
【請求項２】
前記山状凸部の頂部から前記谷状凹部の頂部までの高さ寸法を、前記取付溝の高さ寸法よりも若干大きく形成した
ことを特徴とする請求項１に記載の放熱器固定用板端子。
【請求項３】
前記山状凸部の前記挿入部からの突出量および前記谷状凹部の前記挿入部からの突出量を略同じとした
ことを特徴とする請求項１または請求項２に記載の放熱器固定用板端子。
【請求項４】
前記挿入部は、前記挿入部の先端側と、前記挿入部の基端側と、にそれぞれ配置される平坦部をさらに有し、
前記山状凸部および前記谷状凹部は、直線状の斜面で屈曲形成してなる
ことを特徴とする請求項１から請求項３に記載の放熱器固定用板端子。
【請求項５】
前記山状凸部および前記谷状凹部の前記直線状の斜面のなす角度をそれぞれ１４０度ないし１６０度とした
ことを特徴とする請求項４に記載の放熱器固定用板端子。
【請求項６】
前記山状凸部および前記谷状凹部の前記直線状の斜面のなす角度をそれぞれ１４５度ないし１５５度とした
ことを特徴とする請求項４に記載の放熱器固定用板端子。
【考案の詳細な説明】
【技術分野】
【０００１】
本考案は、例えば、トランジスタやＬＳＩ、マイクロプロセッサ等の、使用により発熱する半導体素子の冷却に用いる放熱器を電子基板に固定するための放熱器固定用板端子に関する。
【背景技術】
【０００２】
従来、放熱器を電子基板に固定する手段として、放熱器固定用板端子が広く用いられている。一般に、放熱器固定用板端子は、一端側を放熱器の被挿入部に取り付け、他端側を電子基板の取付用孔に取り付けることにより、放熱器を電子基板に固定するものである。例えば、特許文献１には、従来の放熱器固定用板端子の一例が開示されている。
【０００３】
図４（ａ）は、従来の放熱器固定用板端子を放熱器の被挿入部に挿入する様子を示す斜視図、（ｂ）は、従来の放熱器固定用板端子の全体構成を示す斜視図、（ｃ）は、（ａ）の側面図である。ここで、放熱器固定用板端子が取り付けられて使用される放熱器１２０は、基板１２１と、基板１２１に立設される放熱板１２２と、を有して構成されている。放熱器１２２の最も外側の放熱板１２２ａには、断面視略Ｃ字状の被挿入部１２３が形成されている。
【０００４】
図４（ｂ）に示すように、従来の放熱器固定用板端子１０１は、放熱器１２０の被挿入部１２３に取り付けるための挿入部１０１ａと、挿入部１０１ａの基端部を略９０度傾斜させて延設し、電子基板（図示せず）の取付用孔（図示せず）に取り付けるための脚部１０１ｂと、を有して構成されている。図４（ｂ）および（ｃ）に示すように、挿入部１０１ａには、その一部を一面側へ突出させて、直線状の斜面で屈曲形成した波形（山状凸部）１０２が幅方向に延設されている。波形１０２は、下端部（挿入部１０１ａの下面部）から頂部までの高さ寸法が、被挿入部１２３の高さ寸法よりも若干大きく形成されている。また、図４（ｃ）に示すように、脚部１０１ｂは、肩部１０４と、肩部１０４よりも幅を狭くした取付部１０５を有して構成されている。
【０００５】
このような従来の放熱器固定用板端子１０１によれば、図４（ａ）に示すように、一端側から放熱器１２０の被挿入部１２３に挿入していくと、波形１０２の頂部付近が被挿入部１２３の端面に当接し、この状態でさらに押し込むと、波形１０２の被挿入部１２３への当接部分から波形１０２の全体が挿入方向後方に倒されるように撓んで、被挿入部１２３の高さ寸法と略同じ厚みとなりながら、波形１０２が被挿入部１２３内に徐々に挿入されていく。このようにして、挿入部１０１ａの全体が被挿入部１２３に挿入されると、波形１０２が被挿入部１２３内でスプリングバッグして、その頂部で被挿入部１２３の内壁面（放熱板１２２ａの被挿入部１２３側の壁面）を押圧し、挿入部１０１ａの抜け止めとして機能する。これにより、挿入後の引き抜き強度の向上を図っている。なお、この状態で、脚部１０１ｂの取付部１０５を、電子基板の取付用孔（いずれも図示せず）に挿入し、取付部１０５を、電子基板（図示せず）にはんだ付けすると、放熱器１００を、肩部１０４の高さ分、電子基板（図示せず）から離間させて固定する。
【０００６】
ここで、放熱器固定用板端子１０１は、予め、放熱器１２０に取り付けられた状態で輸送され、輸送先で電子基板（図示せず）に取り付けられる場合が多い。しかし、かかる従来の放熱器固定用板端子１０１では、挿入部１０１ａの波形１０２のみで被挿入部１２３に取り付けられるため、輸送の際に強い振動や衝撃が加えられると、これに耐えきれずに、被挿入部１２３から挿入部１０１ａが抜けてしまう場合があった。
【０００７】
これを受けて、本願出願人は、従来の放熱器固定用板端子１０１を応用した放熱器固定用板端子１１１を作製し、さらなる引き抜き強度の向上を図った。図５（ａ）は、他の従来の放熱器固定用板端子の全体構成を示す斜視図、（ｂ）は（ａ）の側面図である。図５（ａ）、（ｂ）に示すように、他の従来の放熱器固定用板端子は１１１、挿入部１１１ａ、挿入部１１１ａから略９０度傾斜して延設された脚部１１１ｂと、を有して構成され、挿入部１１１ａには、前後方向に所定間隔を空けて、波形（山状凸部）１１２と波形（山状凸部）１１３が幅方向に延設されている。
【特許文献１】実用新案登録第３１１０７６１号公報
【考案の開示】
【考案が解決しようとする課題】
【０００８】
しかしながら、かかる他の従来の放熱器固定用板端子１１１では、良好な引き抜き強度を得られる一方で、放熱器固定用板端子１１１の寸法が安定しないという問題があった。
すなわち、他の従来の放熱器固定用板端子１１１では、挿入部１１１ａに波形１１２と波形１１３を前後方向に２つ並設したため、より強力な押圧力が働くこととなる。このため、挿入部１１１ａを被挿入部１２３に挿入すると、この押圧力によって、脚部１１１ｂの基端側から先端側にかけて、挿入方向後方に反り返って変形してしまう場合があった。このような状態で脚部１１１ｂを電子基板（図示せず）に取り付けると、脚部１１１ｂが変形した分、電子基板（図示せず）上での放熱器１２０の姿勢が歪んでしまうこととなる。このように放熱器１２０の姿勢が歪んでしまうと、安定が悪く、周辺に配置される他の部品と干渉したり、また、美観に影響を及ぼしたりするおそれがあり、好ましくない。
【０００９】
本考案は、前記課題に鑑みてなされたものであり、簡素な構造により、引き抜き強度の向上と寸法安定性の確保の両立を達成した放熱器固定用板端子を提供することを課題とする。
【課題を解決するための手段】
【００１０】
前記課題を解決した本考案の放熱器固定用板端子は、半導体素子を冷却する放熱器を電子基板に固定するための放熱器固定用板端子であって、前記放熱器に設けられた被挿入部に挿入される板状の挿入部と、当該挿入部に連なり、前記電子基板に固定される板状の脚部と、を有し、前記挿入部は、前記挿入部の一部を一面側へ突出させた山状凸部と、当該山状凸部に平坦部を介して隣接し、前記挿入部の他の一部を他面側へ突出させた谷状凹部と、を有することを特徴とする。
【００１１】
本考案に係る放熱器固定用板端子によれば、挿入部の一部を一面側へ突出させた山状凸部と、挿入部の他の一部を他面側へ突出させた谷状凹部を有するため、挿入部を、例えば側面視Ｃ字状に形成された被挿入部に挿入した場合に、山状凸部が、山状凸部に当接する被挿入部の壁部を押圧し、谷状凹部が、山状凸部の当接する壁部と対向する位置の壁部に当接して押圧する。これにより、被挿入部の山状凸部が当接する壁部と、谷状凹部が当接する壁部を押圧する力が均等に加えられるため、被挿入部に挿入された後の脚部の反りや撓みなどの変形を防止することができ、かつ、挿入部が被挿入部に十分な強度で取り付けられ、挿入後の引き抜き強度を向上させることができる。
これにより、挿入部が被挿入部に挿入された状態で、脚部を電子基板に固定した場合に、放熱器の姿勢を良好に維持させることができる。
【００１２】
また、前記山状凸部の頂部から前記谷状凹部の頂部までの高さ寸法を、前記被挿入部の高さ寸法よりも若干大きく形成することが好ましい。ここで、被挿入部の高さ方向とは、挿入部の挿入方向と直交する方向をいう。
【００１３】
これによれば、山状凸部の頂部から谷状凹部の頂部までの高さ寸法を、被挿入部の高さ寸法よりも若干大きく形成したため、挿入部を被挿入部に挿入すると、山状凸部がスプリングバックして、その頂部で当接する壁部を押圧するとともに、谷状凹部がスプリングバックして、その頂部で当接する壁部を押圧する。このように、山状凸部と谷状凹部を被挿入部内で良好にスプリングバックさせることができるため、挿入部を被挿入部に挿入した後の放熱器固定用板端子の変形を防止することができ、かつ、引き抜き強度を向上させることができる。このように寸法安定性が良好となるため、放熱器固定用板端子の挿入部を被挿入部に挿入した状態で、脚部の取付部を電子基板に取り付けたときに、放熱器の姿勢を良好に維持させることができる。
【００１４】
また、前記山状凸部の前記挿入部からの突出量と前記谷状凹部の前記挿入部からの突出量を略同じとすると好ましい。
【００１５】
これによれば、挿入部を被挿入部に挿入したときに、山状凸部と谷状凹部を均等にスプリングバックさせることができる。このため、挿入部を被挿入部に挿入した後の放熱器固定用板端子の変形をより確実に防止することができる。
【００１６】
また、前記挿入部は、前記挿入部の先端側と、前記挿入部の基端側と、にそれぞれ配置される平坦部をさらに有し、前記山状凸部は、前記山状凸部および前記谷状凹部は、直線状の斜面で屈曲形成してなることが好ましい。
【００１７】
これによれば、挿入部を被挿入部に挿入したときに、山状凸部の直線状の斜面の頂部で壁部に当接し、谷状凹部の直線状の斜面の頂部で、山状凸部が当接する壁部と対向する位置の壁部に当接するため、山状凸部と谷状凹部をより良好にスプリングバックさせることができ、かつ、より引き抜き強度を向上させることができる。
【００１８】
また、前記山状凸部および前記谷状凹部の前記直線状の斜面のなす角度をそれぞれ鈍角とすると好ましい。好ましくは、前記山状凸部および前記谷状凹部の前記直線状の斜面のなす角度をそれぞれ１４０度ないし１６０度とし、より好ましくは、前記山状凸部および前記谷状凹部の前記直線状の斜面のなす角度をそれぞれ１４５度ないし１５５度とする。
【００１９】
これによれば、挿入部を被挿入部内に挿入しやすくなると共に、山状凸部および谷状凹部を良好にスプリングバックさせることができ、引き抜き強度を向上させることができる。
【考案の効果】
【００２０】
本考案の放熱器固定用板端子によれば、挿入部に山状凸部と谷状凹部を互いに逆向きに設けるという簡素な構造により、引き抜き強度の向上と寸法安定性の確保の両立を達成することができる。また、このような放熱器固定用板端子を安価に得ることができる。
【考案を実施するための最良の形態】
【００２１】
以下、本考案に係る放熱器固定用板端子を実施するための最良の形態について図面を参照しながら説明する。参照する図面において、図１（ａ）は、本実施形態に係る放熱器固定用板端子および本実施形態に係る放熱器固定用板端子が取り付けられて使用される放熱器の全体構成を示す斜視図、（ｂ）は、本実施形態に係る放熱器固定用板端子の全体構成を示す斜視図、図２は、本実施形態に係る放熱器固定用板端子および放熱器固定用板端子が取り付けられる被挿入部の側断面図である。
なお、以下の説明において、上下前後方向は、図面中に記載した通りとする。
【００２２】
初めに、本考案の放熱器固定用板端子１が用いられる態様について説明する。本考案の放熱器固定用板端子１は、例えば、図１（ａ）に示すような放熱器１０に取り付けられて使用される。放熱器１０は、例えば、図１（ａ）に示すように、基板１１と、放熱板１２と、被挿入部１３と、を主に備えて構成されている。基板１１は、放熱器１０の基台となる平板状部材であり、電子基板（図示せず）上に、電子基板（図示せず）に対して垂直方向に配置されている。放熱板１２は、半導体素子（図示せず）が発生する熱を空気中に放熱するためのものであり、基板１１の一方の側面に所定間隔で複数枚立設される平板状部材である。このような放熱器１０は、例えば、押出により形成することができる。
【００２３】
被挿入部１３は、本実施形態では、最も外側に位置する放熱板１２ａに形成されている。被挿入部１３は、放熱器固定用板端子１を放熱器１０に取り付けるためのものであり、放熱板１２ａの下面部分である上壁部１３ａと、基板１１の端部と上壁部１３ａの先端部を、上壁部１３ａの外側に向けてそれぞれ略９０度傾斜させて延設した一対の側壁部１３ｂと、一対の側壁部１３ｂの両端部をそれぞれ近接する方向に向けて略９０度傾斜させて延設した下壁部１３ｃと、で側面視略Ｃ字状に形成されている。なお、本実施形態では、被挿入部１３は、最も外側の放熱板１２ａに沿って、放熱器１０の一端面から他端面まで連続して形成されている。
【００２４】
次に、本考案に係る放熱器固定用板端子１の具体的な構成を説明する。放熱器固定用板端子１は、図１（ｂ）および図２に示すように、放熱器１０を電子基板（図示せず）に取り付けるためのものであり、板状部材であって、挿入部１ａと、脚部１ｂと、を主に有している。挿入部１ａは、放熱器１０の被挿入部１３に取り付けられ、脚部１ｂは、電子基板（図示せず）の取付用孔（図示せず）に取り付けられている。
【００２５】
図１（ｂ）に示すように、挿入部１ａは、放熱器固定用板端子１を放熱器１０に取り付けるためのものであり、薄板状であって、挿入部１ａの挿入方向前方に配置される山状凸部２と、挿入部１ａの挿入方向後方に配置される谷状凹部３と、挿入部１ａの先端（挿入方向前方）側と、山状凸部２と谷状凹部３の間と、挿入部１ａの基端（挿入方向後方）側と、にそれぞれ配置される平坦部６と、を有して構成されている。以下では、挿入部１ａの先端側に配置される平坦部６を平坦部６ａとし、山状凸部２と谷状凹部３の間に配置される平坦部６を平坦部６ｂとし、挿入部１ａの基端側に配置される平坦部６を平坦部６ｃとして区別する。
【００２６】
山状凸部２は、挿入部１ａの先端側で幅方向に延在する部分であり、挿入部１ａの一部を一面側、本実施形態では上面側へ突出させて形成されている。
より詳しくは、山状凸部２は、平坦部６ａから挿入方向後方へ斜め上方に折れ曲がって延びた後、挿入方向後方へ斜め下方に折れ曲がって延びて平坦部６ｂに連続する直線状の斜面で屈曲形成してなるものである。
【００２７】
谷状凹部３は、挿入部１ａの後端側で幅方向に延在する部分であり、後記する平坦部６ｂを介して山状凸部２に隣接し、挿入部１ａの一部を他面側、本実施形態では下面側へ突出させて形成されている。より詳しくは、谷状凹部３は、平坦部６ｂから挿入方向後方へ斜め上方に折れ曲がって延びた後、挿入方向後方へ斜め下方に折れ曲がって延びて平坦部６ｃに連続する直線状の斜面で屈曲形成してなるものである。
【００２８】
図２に示すように、山状凸部２および谷状凹部３の直線状の斜面のなす角度θ１および角度θ２は、それぞれ鈍角とする。好ましくは、角度θ１および角度θ２を１４０度ないし１６０度とする。角度θ１および角度θ２が１４０度より小さいと、山状凸部２および谷状凹部３が被挿入部１３内でスプリングバックしづらくなり、山状凸部２が上壁部１３ａを押圧する力と谷状凹部３が下壁部１３ｃを押圧する力が均等に加えられなくなるおそれがあり、好ましくない。また、角度θ１および角度θ２が１６０度より大きいと、引き抜き強度が弱くなってしまうため好ましくない。なお、角度θ１および角度θ２を１４５度ないし１５５度とすると、上記作用がより良好に得られるため、より好ましい。
【００２９】
また、山状凸部２の頂部２ａから谷状凹部３の頂部３ａまでの高さ寸法ｈ２は、被挿入部１３の上壁部１３ａと下壁部１３ｃの間の高さ寸法ｈ１（特許請求の範囲における「被挿入部の高さ寸法」に相当する）よりも若干大きく形成されることが好ましい。例えば、高さ寸法ｈ１を１としたときに、高さ寸法ｈ２が１．３ないし１．８の比率となるように形成されている。
さらに、山状凸部２の挿入部１ａからの突出量ｈ３と谷状凹部３の挿入部１ａからの突出量ｈ４は、略同じとすることが好ましい。これによれば、山状凸部２と谷状凹部３を均等にスプリングバックさせることができる。
【００３０】
脚部１ｂは、挿入部１ａの平坦部６ｃに連なり、放熱器固定用板端子１を電子基板（図示せず）に取り付けるためのものであり、肩部４と、肩部４の略中央部から延設される肩部４より幅狭の取付部５と、を有して構成される。脚部１ｂは、本実施形態では、平坦部６ｃに対し、谷状凹部３の突出方向と同じ方向（下方）へ略９０度傾斜して延設されている。脚部１ｂにおける肩部４と取付部５の割合は、特に限定されず、使用状態に応じて決定することができる。
【００３１】
このような放熱器固定用板端子１は、例えば、平板状の鉄やアルミニウムなどをプレス加工や押出加工を施すことにより成形することができる。
【００３２】
次に、放熱器固定用板端子１を放熱器１０に取り付ける様子について図３および適宜図１、図２を参照して説明する。図３は、本実施形態に係る放熱器固定用板端子が被挿入部に取り付けられた様子を示す側断面図である。
【００３３】
放熱器固定用板端子１は、挿入部１ａの山状凸部２の頂部２ａから谷状凹部３の頂部３ａまでの高さ寸法ｈ２を、被挿入部１３の高さ寸法ｈ１よりも若干大きく形成したため、谷状凹部３が下壁部１３ｃに当接しながら被挿入部１３内に押し入れられるにつれて、平坦部６ａが当接部６ａ１により下壁部１３ｃに当接し、山状凸部２が頂部２ａにより上壁部１３ａに当接して、前後方向に引っ張られて拡がる。そして、谷状凹部３が頂部３ａにより下壁部１３ｃに当接して圧縮されながら、被挿入部１３内に徐々に挿入され、挿入部１ａの全てを被挿入部１３に挿入すると、山状凸部２がスプリングバックして圧縮されるとともに、谷状凹部３がスプリングバックして前後方向に拡がる。
【００３４】
これにより、山状凸部２の頂部２ａで上壁部１３ａを押圧するとともに、谷状凹部３の頂部３ａで下壁部１３ｃを山状凸部２が上壁部１３ａを押圧する力と均等な力で押圧する。さらに、山状凸部２と谷状凹部３が均等にスプリングバックすることにより、平坦部６ｃが当接部６ｃ１により上壁部１３ａに当接して上壁部１３ａを押圧するとともに、平坦部６ａが当接部６ａ１により下壁部１３ｃに当接して下壁部１３ｃを押圧する。
【００３５】
一方、電子基板に設けた取付用孔（いずれも図示せず）に、脚部１ｂの取付部５を挿入する。このようにして、肩部４の下面側が電子基板（図示せず）に当接した状態で、取付部５をはんだ付けにより電子基板（図示せず）に取り付ける。これにより、放熱器１０を、肩部４の高さ分、電子基板（図示せず）から離間させて固定することができる。これにより、放熱器１０と電子基板（図示せず）の間に、半導体素子（図示せず）の厚み分のスペースを確保することができる。
【００３６】
本実施形態に係る放熱器固定用板端子１によれば、挿入部１ａの一部を一面側に突出させた山状凸部２と、山状凸部２と逆向きに突出形成された谷状凹部３が、被挿入部１３内で均等にスプリングバックすることにより、被挿入部１３の対向する壁部（上壁部１３ａ、下壁部１３ｃ）を押圧する力が均等に加えられることとなる。このため、挿入部１ａを被挿入部１３に挿入した後の放熱器固定用板端子１の反りや撓みなどの変形を防止することができ、かつ、引き抜き強度を向上させることができる。このように、寸法安定性が良好となり、挿入部１ａを被挿入部１３に挿入した状態で、脚部１ｂの取付部５を電子基板（図示せず）に取り付けたときに、放熱器１０の姿勢を良好な状態で維持することができる。
【００３７】
また、放熱器固定用板端子１は、例えば、プレス加工や押出加工などにより成形することができるため、安価となる。また、放熱器固定用板端子１は、脚部１ｂを挿入部１ａの平坦部６ｃの下方へ略９０度傾斜させて延設したため、前後方向の外力が加えられた場合にも、挿入部１ａを被挿入部１３から抜けにくくすることができる。
【００３８】
以上、本考案の一実施形態について説明したが、本考案はこのような実施形態のみに限定されるものではなく、本考案の趣旨を逸脱しない範囲において、種々の変更が可能である。
【００３９】
例えば、本実施形態では、放熱器１０を、基板１１と、放熱板１２と、で形成したが、これに限られるものではなく、放熱板１２を設けず、平板状の放熱器としてもよい。このとき、放熱器の端面を平坦に形成するとともに、この端面に被挿入部を設けることとしてもよい。なお、被挿入部１３は、放熱器１０の使用形態によって様々な位置に設けられるものであり、本考案の放熱器固定用板端子１の挿入部１ａは、被挿入部１３の位置に関わらず取り付けることができ、本実施形態と同様の作用効果が得られることはもちろんである。
【００４０】
また例えば、本実施形態では、放熱器固定用板端子１の挿入部１ａを側面視略Ｃ字状の被挿入部１３に挿入したが、これに限られず、例えば、被挿入部１３の下壁部１３ｃの向かい合う端部同士をつないだ側面視略Ｏ字状の挿入部１ａに挿入した場合にも、本実施形態と同様の作用効果が得られることはもちろんである。
【００４１】
また、本実施形態では、山状凸部２を谷状凹部３の前方に配置したが、これに限られるものではなく、前後方向の位置を逆に形成しても本実施形態と同様の作用効果が得られることはもちろんである。
【００４２】
また、本実施形態では、脚部１ｂは、挿入部１ａの基端部を略９０度傾斜させて延設したが、これに限られるものではなく、放熱器固定用板端子１を直線状に形成しても良いことはもちろんである。
【００４３】
また、本実施形態では、脚部１ｂの肩部４の略中央部から取付部５を１つ延設したが、これに限られるものではなく、放熱器固定用板端子１を取付用孔（図示せず）に十分な引き抜き強度で取り付けることができる形態であれば、特に限定されない。
例えば、肩部４の両端から取付部５を２つ延設しても良い。これにより、放熱器固定用板端子１を電子基板（図示せず）に、より強固に取り付けることができる。
【図面の簡単な説明】
【００４４】
【図１】（ａ）は、本実施形態に係る放熱器固定用板端子および本実施形態に係る放熱器固定用板端子が取り付けられて使用される放熱器の全体構成を示す斜視図、（ｂ）は、本実施形態に係る放熱器固定用板端子の全体構成を示す斜視図である。
【図２】本実施形態に係る放熱器固定用板端子および放熱器固定用板端子が取り付けられる被挿入部の側断面図である。
【図３】本実施形態に係る放熱器固定用板端子が被挿入部に取り付けられた様子を示す側断面図である。
【図４】（ａ）は、従来の放熱器固定用板端子を放熱器の被挿入部に挿入する様子を示す斜視図、（ｂ）は、従来の放熱器固定用板端子の全体構成を示す斜視図、（ｃ）は、（ａ）の側面図である。
【図５】（ａ）は、他の従来の放熱器固定用板端子の全体構成を示す斜視図、（ｂ）は、（ａ）の側面図である。
【符号の説明】
【００４５】
１      放熱器固定用板端子
１ａ      挿入部
１ｂ      脚部
２      山状凸部
３      谷状凹部
４      肩部
５      取付部
６      平坦部
１０      放熱器
１１      基板
１２      放熱板
１３      被挿入部
１４      端面
【図１】
0003145211.tif 000003
【図２】
0003145211.tif 000004
【図３】
0003145211.tif 000005
【図４】
0003145211.tif 000006
【図５】
0003145211.tif 000007